(57)【要約】【課題】受信環境が変化した場合でも受信品質推定の精度の向上を実現でき、より正しい受信品質推定及び表示が可能となる受信品質表示装置を提供することである。【解決手段】受信品質表示装置１０は、第１，第２，第３の推定手段１６，１７，１８を備える。第１の推定手段１６は、所定周波数帯域のデジタル送信信号を受信するチューナ部１２及びその受信データを復調するデータ復調部１３の出力の受信品質を推定するために、アイパターンのずれに対して設定された閾値に対応したデータ復調後の受信品質を推定する。第２の推定手段１７は、アイパターンのずれによる第１の推定手段以外の手法に基づいて受信品質を推定する。第３の推定手段１８は、第１の推定手段からの受信品質推定情報を、第２の推定手段からの少なくとも１つの受信品質推定情報を用いて補正することによって、受信装置としての受信品質表示出力を得る。【選択図】図１
2009177608.tif 000002
【特許請求の範囲】
【請求項１】
所定周波数帯域のデジタル送信信号を受信するチューナ部及びその受信データを復調するデータ復調部の出力の受信品質を推定するために、アイパターンのずれに対して変更可能に設定された閾値に対応したデータ復調後の受信品質を推定する第１の推定手段と、
このアイパターンのずれによる第１の推定手段以外の手法に基づいて受信品質を推定する第２の推定手段と、
前記第１の推定手段からの受信品質推定情報を、前記第２の推定手段からの少なくとも１つの受信品質推定情報を用いて補正することによって、受信装置としての受信品質表示出力を得るための第３の推定手段と、
を具備したことを特徴とする受信品質表示装置。
【請求項２】
前記第２の推定手段は、受信装置内部のデータ復調後のデータとそのデータを誤り訂正した後に再符号化したデータとを用いて擬似ＢＥＲを算出し、その擬似ＢＥＲを該第２の推定手段の受信品質推定情報として前記第３の推定手段に供給することを特徴とする請求項１に記載の受信品質表示装置。
【請求項３】
前記第１の推定手段は、受信装置外部からのユーザー入力で該第１の推定手段の受信品質推定の閾値が変更可能に設定され、その閾値に対応した受信品質推定情報を前記第３の推定手段に供給することを特徴とする請求項１又は２に記載の受信品質表示装置。
【請求項４】
前記第３の推定手段は、前記データ復調部から送信される受信信号に含まれるマルチパス数を入力し、そのマルチパス数を受信品質推定情報の１つとして用いることを特徴とする請求項１乃至３のいずれか１つに記載の受信品質表示装置。
【請求項５】
前記第１の推定手段でのアイパターンのずれは、データ復調後のアイパターンの規定点からのずれの時間平均であることを特徴とする請求項１乃至４のいずれか１つに記載の受信品質表示装置。
【発明の詳細な説明】
【技術分野】
【０００１】
本発明は、通信システム及び放送システムにおける受信品質推定および表示を行う受信品質表示装置に関する。
【背景技術】
【０００２】
通信システム及び放送システムで地上送信局が音声／映像／データ情報を送信し、地上送信局から、または衛星、または地上再送信装置（ギャップフィラーと呼ばれる）経由で音声／映像／データ情報を受信するシステムが開発されている。
【０００３】
現在、移動体向けに衛星経由でデジタル放送サービスを提供する移動体向け放送システムが実用化されている。この放送システムは、ＭＰＥＧ−４（Moving Picture Experts G
roup phase 4）方式やＨ．２６４方式により圧縮符号化された複数の番組コンテンツのトランスポートストリーム(以下、ＴＳという)を、スペクトラム拡散技術を用いたＣＤＭ（Code Division Multiplex：符号分割多重）方式により多重して放送信号を生成し、衛星またはギャップフィラー経由で所定のサービスエリアに向けて送信する。
【０００４】
このように移動体向け通信または放送システムでは、伝送方式の一つとしてスペクトラム拡散技術を用いたＣＤＭ方式が利用されている。このＣＤＭ方式を用いる放送の一つとして、移動体向けモバイル衛星デジタル放送がある。  
モバイル衛星デジタル放送で用いる搬送周波数は２．６ＧＨｚと非常に高くて電波の直進性が強いため、都市部のビル等の遮蔽物の陰では衛星放送波を直接受信できない地域が生じる。そこで、このような地域にはギャップフィラーが設けられている。
【０００５】
しかし、このギャップフィラーからの電波は、ギャップフィラーからの直接波のほかに、建物の壁等で何回も反射・屈折された反射波となって様々な方向から多数受信装置に到達することがある。このような電波環境はマルチパス環境と呼ばれている。マルチパス環境における安定した受信のためにＣＤＭ受信装置にはＲＡＫＥ受信部が設けられている。
【０００６】
ＲＡＫＥ受信部は、フィンガーと呼ばれる処理部を複数備え、マルチパス環境における複数のパスを分離して各フィンガーに１つずつ割り当てて受信し、これらの受信結果を合成するＲＡＫＥ合成を行う。そのため、ＣＤＭ受信装置にはマッチドフィルタや受信信号相関検出部などが設けられ、パス位置の推定やフィンガへのパスの割り当てなどの演算が行われている。
【０００７】
ところで、通信チャネル及び放送チャネルを用いて、受信データの受信品質を測定する場合、復調後のアイパターンの規定点からのずれの時間平均値から受信品質を推定していた（例えば、特許文献１参照）。  
しかしながら、受信データの受信品質推定を、復調後のアイパターンの規定点からのずれの時間平均値からＡＷＧＮ(白色ガウス雑音(条件)下：Additive White Gaussian Noise)換算で固定的に行うと、チューナの電気的性能や、電波環境例えば衛星からの直接波による１波受信/ギャップフィラーからの建物等の反射波によるマルチパス受信などの受信環境の違いによって受信品質が前述のＡＷＧＮ換算値と異なり、受信データ品質を正しく推定して表示することができないという問題があった。
【０００８】
例えば、予め定められた設定値を閾値として受信品質を「良好」〜「劣悪」までの１〜ｎのｎ段階で表示する場合、受信環境の変化によりｎ段階の閾値のほぼ全てで受信品質が劣悪または良好となる場合があり、正しい受信品質表示が困難となるという課題があった。
【特許文献１】特開２００６−２１１０７３号公報（段落［0044］〜［0050］、図５及び図６）
【発明の開示】
【発明が解決しようとする課題】
【０００９】
そこで、本発明は上記の事情に鑑み、受信環境が変化した場合でも受信品質推定の精度の向上を実現でき、より正しい受信品質推定及び表示が可能となる受信品質表示装置を提供することを目的とするものである。
【課題を解決するための手段】
【００１０】
本願発明の一態様によれば、所定周波数帯域のデジタル送信信号を受信するチューナ部及びその受信データを復調するデータ復調部の出力の受信品質を推定するために、データ復調後のアイパターンのずれに対して変更可能に設定された閾値に対応した復調後のデータの受信品質を推定する第１の推定手段と、このアイパターンのずれによる第１の推定手段以外の手法に基づいて受信品質を推定する第２の推定手段と、前記第１の推定手段からの受信品質推定情報を、前記第２の推定手段からの少なくとも１つの受信品質推定情報を用いて補正することによって、受信装置としての受信品質表示出力を得るための第３の推定手段と、を具備したことを特徴とする受信品質表示装置が提供される。
【発明の効果】
【００１１】
本発明によれば、受信環境が変化した場合でも受信品質推定の精度の向上を実現でき、より正しい受信品質推定及び表示が可能となる受信品質表示装置を提供できる。
【発明を実施するための最良の形態】
【００１２】
発明の実施の形態について図面を参照して説明する。  
本発明の第１及び第２の実施形態を図１及び図２を参照して説明する前に、図３乃至図４を参照して本発明の関連技術を説明する。
【００１３】
図３は関連技術の受信品質表示装置のブロック図を示している。  
図３において、受信品質表示装置３０は、受信品質表示信号を出力する受信品質表示装置本体３０Ａと、出力された受信品質表示信号を表示する図示しない表示装置とを備えている。
【００１４】
受信品質表示装置本体３０Ａは、デジタル情報信号を含む高周波信号を受信するアンテナ３１と、受信した高周波信号から所定の周波数帯域の所望のデジタル情報信号を周波数変換するチューナ部３２と、周波数変換されたデジタル情報信号をデジタル復調するデータ復調部３３と、復調した信号の誤り訂正を行う誤り訂正復号部３４と、データ復調後のアイパターンのずれに対して固定的に設定された閾値に対応したデータ復調後の受信品質を推定する、データ復調後の受信品質推定部３５とを備えている。
【００１５】
なお、受信品質表示装置３０は、受信装置の一部としても構成することができる。このように構成した場合には、誤り訂正復号部３４で誤り訂正復号されたＴＳ信号が図示しないＴＳデコーダに供給されてデータ分離された後、ＡＶデコーダを経て映像/音声/データ情報が再生され、表示及び音声出力部にて表示及び音声出力されることになる。
【００１６】
このような構成において、復調後のアイパターンの規定点からのずれの時間平均値から例えばＡＷＧＮ換算した換算値で受信品質推定を行う場合、データ復調後の受信品質推定部３５は、所定周波数帯域のデジタル送信信号を受信するチューナ部３２及びその受信データを復調するデータ復調部３３の出力の受信品質を推定するために、アイパターンのずれに対して固定的に設定された閾値に対応したデータ復調後の受信品質を推定し、受信品質表示信号として表示する。
【００１７】
図４はデータ復調出力のコンスタレーション信号（規定点）及び受信信号のずれを示す図である。図はＱＰＳＫの４点の信号点(規定点)を示しており、信号点(００)と(０１)間、(０１)と(１０)間、(１０)と(１１)間、(１１)と(００)の間隔を２Ｒとし、信号のずれ幅をＤとする。算出された時間平均のＤと閾値Ｘとで、Ｄ＜Ｒ、Ｒ＜Ｄ＜Ｘ、Ｘ＜Ｄのいずれかの判断をして受信品質を推定する。Ｄ＜Ｒであれば受信品質が良、Ｒ＜Ｄ＜Ｘであれば受信品質が中(やや良又はやや悪)、Ｘ＜Ｄであれば受信品質が悪と推定される。
【００１８】
なお、ここで、デジタル復調後のデジタル信号の評価方法として用いられる(1)アイパターン及び(2)コンスタレーションについて説明する。  
(1)デジタル信号伝送の受信側には、１，０の信号がランダムに到来するが、それら１つ１つの出力は伝送路の歪みや雑音などの影響によって矩形波から変形した色々な波形となる。これらをオシロスコープ上で１シンボル周期で全て重ね合わせて表示すると、中央部に空きのあるパターン(目の形に似ていることからアイパターンという)が得られる。アイパターンの中央部の空き(アイ)の大きさ(例えば垂直方向の大きさ)から波形歪みの程度を評価できる。空き(特に垂直，水平方向の空き)が大きければ符号誤りを起こすことは少ないが、空きの部分が閉じてしまうと１，０の判定ができなくなり、大きな誤りが生じる。また、アイパターンが時間軸方向(水平方向)に充分開いていれば、タイミングが多少ずれていてもシンボルの判定を誤る確率は少なくなる。アイパターンの中央部(アイ開口)がどのくらい開いているかを表すのに、アイパターン開口率が用いられることがある。アイパターン開口率は、アイパターンの重ね合わせた波形の上下レベル間の平均的な電圧差Ｖavrに対する、アイパターンの開いているアイ開口の上下間の電圧差Ｖminの比（Ｖmin／Ｖavr）で表される。アイパターンのずれの大小はこの開口率を用いて表現することもできる。
【００１９】
(2)受信信号の波形を時間軸上で重ねたものが、アイパターンであるが、オシロスコープの横軸にＱＰＳK信号のＩ信号、縦軸にＱ信号を加え、シンボル判定点でのレベル変動の蓄積を表示すると、ある特定の部分に信号が集まって表示される。これをコンスタレーションという。伝送路に歪みや雑音がない場合は信号は小さく集束するが、歪みや雑音があると信号は分散する。Ｉ信号とＱ信号のレベルや搬送波との位相関係がずれていると、円形状や、方形状や、菱形状の分布に変化する。コンスタレーションの理想的なシンボル位置から実際に受信したシンボルまでのベクトル量を求めることによって、理想的なシンボル位置との誤差を求めることができる。このように、実際は信号点から信号点へ瞬時にしかも位置のずれが無く移動することはなく、アイパターンと同じように行き交う信号の軌跡は必ず広がりを持つ。そして、広がりが小さいほど理想のデジタル変調波に近いと評価できる。従って、本明細書においては、コンスタレーションもアイパターンと同様な概念で扱えるので、アイパターンのずれというときはコンスタレーションの信号点の広がりも含むものとして説明する。
【００２０】
ところで、移動体向けの受信装置では、移動に伴う、チューナの電気的性能や、電波環境などを含む受信環境の変化に伴い、受信品質を１〜ｎのｎ段階で表示する場合、ｎ段階の閾値のほぼ全てで受信品質が劣悪または良好となる場合があり、正しい受信品質表示が困難となることがあった。
【００２１】
例えば、図５で、(a)は移動体向けの受信装置における受信品質表示を行う場合に、設計者が予め想定していた標準的な受信環境において受信品質が良〜悪の３段階の表示で行われることを示している。３段階の表示としては例えば携帯電話における電波状態の表示のように、棒の数が多くなるほど受信品質が悪(a1)、中(a2)、良(a3)と良好となってくることを示している。符号Ｌ1，Ｌ2は受信環境(a)（斜線枠にて示す範囲）における３段階の受信品質表示を実現するための２つの閾値を示している。
【００２２】
そして、受信装置の移動に伴い受信環境が、(a)の標準的な状態（斜線枠にて示す範囲）から(b)の非常に良好な状態（斜線枠にて示す範囲）へ変化した場合、その受信装置における受信品質表示は、前述の３段階表示の良(a3)と同一の表示がなされたままである。つまり、受信装置移動後の受信環境(b)では、受信状態が常に閾値Ｌ2を越えた状態にあるため、受信装置がその環境に居る限りは常に棒の数が３本の良(a3)の表示となる。
【００２３】
同様に、受信装置の移動に伴い受信環境が、(a)の標準的な状態（斜線枠にて示す範囲）から(c)の非常に劣悪な状態（斜線枠にて示す範囲）へ変化した場合、その受信装置における受信品質表示は、前述の３段階表示の悪(a1)と同一の表示がなされたままである。つまり、受信装置移動後の受信環境(c)では、受信状態が常に閾値Ｌ1を下回った状態にあるため、受信装置がその環境に居る限りは常に棒の数が１本の悪(a1)の表示となる。
【００２４】
このようなことが起こるのは、閾値Ｌ1，Ｌ2が製造段階等で予め固定的にされて、受信環境の変化に伴って変えることができないためである。従って、受信環境の変化(特に大きな変化)に伴い、複数(ここでは２つ)の閾値を変えて設定できることが好ましい。  
すなわち、受信環境(b)の場合は、受信品質を３段階表示するために、(b)の斜線枠の垂直方向の範囲に対して閾値Ｌ1，Ｌ2から新たな閾値Ｍ1，Ｍ2に変えて設定する必要がある。また、受信環境(c)の場合は、受信品質を３段階表示するために、(c)の斜線枠の垂直方向の範囲に対して閾値Ｌ1，Ｌ2から新たな閾値Ｎ1，Ｎ2に変えて設定する必要がある。
【００２５】
受信環境については、例えばＣＤＭ方式の移動体向けの受信装置では、受信装置が衛星直接波主体の受信環境であるか、ギャップフィラー直接波主体の受信環境であるか、ギャップフィラー反射波主体の受信環境であるか、といった環境の違いがある。  
そこで、本発明では、アイパターンのずれに基づく受信品質の推定手段以外の推定手段も用いて、受信環境が変化した場合でも受信品質推定の精度の向上を実現でき、より正しい受信品質推定及び表示が可能となる受信品質表示装置を提供するものである。
【００２６】
［第１の実施形態］
図１は本発明の第１の実施形態の受信品質表示装置のブロック図を示している。本発明においては、復調後のアイパターン及び誤り訂正復号後の再符号化による擬似ＢＥＲ、の２つを用いて受信品質の推定を実現する。  
図１において、受信品質表示装置１０は、受信品質表示装置本体１０Ａと、図示しない表示装置とを備えている。
【００２７】
受信品質表示装置本体１０Ａは、音声／映像／データのデジタル情報信号を含む高周波信号を受信するアンテナ１１と、受信した高周波信号から所定の周波数帯域の所望のデジタル情報信号を周波数変換するチューナ部１２と、周波数変換されたデジタル情報信号をデジタル復調するデータ復調部１３と、復調した信号の誤り訂正を行う誤り訂正復号部１４と、誤り訂正後の信号の再符号化を行う誤り訂正符号部１５と、データ復調後のアイパターンのずれに対して変更可能に設定された閾値に対応したデータ復調後の受信品質を推定する、第１の推定手段としてのデータ復調後の受信品質推定部１６と、誤り訂正前のデータとそのデータを誤り訂正した後に再符号化したデータとを用いて擬似ＢＥＲ（ビット誤り率：Bit Error Rate）を算出して誤り訂正後の受信品質を推定する、第２の推定手段としての誤り訂正後の受信品質推定部１７と、データ復調後の受信品質推定部１６と誤り訂正後の受信品質推定部１７から入力された２つの受信品質推定情報を基に受信装置としての受信品質を推定して受信品質表示信号を出力する第３の推定手段としての受信品質推定部１８とを備えている。
【００２８】
さらに、受信装置外部からユーザー入力で受信品質推定のための受信品質推定部１６の閾値を変更可能に設定できるようにする。  
なお、受信品質表示装置１０は、受信装置の一部としても構成することができる。このように構成した場合には、誤り訂正復号部1４で誤り訂正復号されたＴＳ信号が図示しないＴＳデコーダに供給されてデータ分離された後、ＡＶデコーダを経て映像/音声/データ情報が再生され、表示及び音声出力部にて表示及び音声出力される。
【００２９】
ＣＤＭ方式の送受信系を例にとれば、送信側からＣＤＭ変調されたデジタル送信信号が送信され、受信側ではこのデジタル送信信号をアンテナで受信し、受信したデジタル送信信号から所望の周波数帯域へ信号をチューナ部で周波数変換する。次に、データ復調部であるＣＤＭ復調部で、選択受信した信号のＣＤＭ変調信号をデジタル復調した後、誤り訂正復号部であるＦＥＣ(Forward Error Correction)部で、復調した信号の誤り訂正を行う。誤り訂正後のデータは、図示しないデコード部(ＴＳデコーダ及びＡＶデコーダ)が復号して映像信号及び音声信号を再生出力する。
【００３０】
このような構成において、復調後のアイパターンの規定点からのずれの時間平均値から例えばＡＷＧＮ換算した換算値で受信品質推定を行う場合、データ復調後の受信品質推定部１６は、所定周波数帯域のデジタル送信信号を受信するチューナ部１２及びその受信データを復調するデータ復調部１３の出力の受信品質を推定するために、アイパターンのずれに対して変更可能に設定された閾値に対応したデータ復調後の受信品質を推定する。
【００３１】
誤り訂正後の受信品質推定部１７は、このアイパターンのずれによるデータ復調後の受信品質推定部１６以外の手法に基づいて受信品質を推定する。例えば擬似ＢＥＲを算出し、これを用いて誤り訂正後の受信品質を推定する。  
受信品質推定部１８は、データ復調後の受信品質推定部１６からのアイパターンのずれに基づく受信品質推定情報を、誤り訂正後の受信品質推定部１７からの受信品質推定情報(例えば擬似ＢＥＲ)を用いて補正することによって、受信装置としての受信品質表示信号を出力する。
【００３２】
誤り訂正後の受信品質推定部１７は、受信装置内部のデータ復調後の誤り訂正前のデータとそのデータを誤り訂正した後に再符号化したデータとを用いてビット誤り率（擬似ＢＥＲ）を算出することによって、その擬似ＢＥＲを受信品質推定部１７の受信品質推定情報として受信品質推定部１８に供給する。
【００３３】
さらに、データ復調後の受信品質推定部１６は、受信装置外部からのユーザー入力で受信品質推定部１６の受信品質推定の閾値が変更可能に設定されることによって、その閾値に対応した受信品質推定情報を受信品質推定部１８に供給することができる。この閾値変更によって、データ復調後の受信品質推定部１６からの受信品質推定情報を補正することで、図５に示したような受信環境(b)又は(c)に対応した閾値（Ｍ1及びＭ2、又は、Ｎ1及びＮ2）を設定して受信環境の違いからくる受信品質表示の不具合を改善することができる。
【００３４】
なお、ビット誤り率とは、ランダムなデジタルデータを伝送し、復調した際に、送ったデータの中での誤りデータの比率をいう。例えば、ＢＥＲ＝１×１０−４の場合，１０４個のビットデータを伝送し、そのうち１ビットの誤りが発生することを意味する。ビット誤り率特性は、デジタル情報通信回線の品質を評価する際に基準として用いられる。
【００３５】
第１の実施形態によれば、アイパターンのずれによる受信品質の推定手段以外の推定手段も用いて、受信環境が変化した場合でも受信品質推定の精度を向上でき、より正しい受信品質推定及び表示が可能となる。しかも、受信装置外部からユーザー入力で第1の推定手段である受信品質推定部１６の閾値を変更設定することができる。
【００３６】
［第２の実施形態］
図２は本発明の第２の実施形態の受信品質表示装置のブロック図を示している。  
図２において、受信品質表示装置２０は、受信品質表示装置本体２０Ａと、図示しない表示装置とを備えている。
【００３７】
受信品質表示装置本体２０Ａは、デジタル情報信号を含む高周波信号を受信するアンテナ２１と、受信した音声／映像／データを含む高周波信号から所定の周波数帯域の所望のデジタル情報信号を周波数変換するチューナ部２２と、周波数変換されたデジタル情報信号をデジタル復調するデータ復調部２３と、復調した信号の誤り訂正を行う誤り訂正復号部２４と、誤り訂正後の信号の再符号化を行う誤り訂正符号部２５と、データ復調後のアイパターンのずれに対して変更可能に設定された閾値に対応したデータ復調後の受信品質を推定する、第１の推定手段としてのデータ復調後の受信品質推定部２６と、誤り訂正前のデータとそのデータを誤り訂正した後に再符号化したデータとを用いて擬似ＢＥＲ（ビット誤り率：Bit Error Rate）を算出して誤り訂正後の受信品質を推定する、第２の推定手段としての誤り訂正後の受信品質推定部２７と、データ復調後の受信品質推定部２６と誤り訂正後の受信品質推定部２７から入力された受信品質推定情報を元に受信装置としての受信品質を推定して受信品質表示信号を出力するものであって、誤り訂正後の受信品質推定部２７から送信された擬似ＢＥＲを受信し、またデータ復調後の受信品質推定部２６から受信品質推定情報を受信し、さらにデータ復調部２３から送信された受信信号のマルチパスの総数を受信し、これらの受信したデータからデータ復調後の受信品質推定部２６へ適応制御を行うためのフィードバックを行い、データ復調後の受信品質推定情報と受信した擬似ＢＥＲの値と受信信号のマルチパス数とからデータ復調後の受信品質推定部２６の推定閾値を求め、この(変更された)推定閾値をフィードバック適応制御させた結果をデータ復調後の受信品質推定部２６から受信する、第３の推定手段としての受信品質推定部２８と、を備えている。
【００３８】
このような構成において、復調後のアイパターンの規定点からのずれの時間平均値から例えばＡＷＧＮ換算した換算値で受信品質推定を行う場合、データ復調後の受信品質推定部２６は、所定周波数帯域のデジタル送信信号を受信するチューナ部２２及びその受信データを復調するデータ復調部２３の出力の受信品質を推定するために、アイパターンのずれに対して変更可能に設定された閾値に対応したデータ復調後の受信品質を推定する。
【００３９】
受信品質推定部２８は誤り訂正後の受信品質推定部２７から送信された擬似ＢＥＲを受信し、またデータ復調後の受信品質推定部２６から受信品質推定情報を受信し、さらにデータ復調部２３から送信された受信信号のマルチパスの総数を受信する。受信品質推定部２８はこれらの受信したデータからデータ復調後の受信品質推定部２６へ適応制御を行うためのフィードバックを行う。つまり、受信品質推定部２８はデータ復調後の受信品質推定情報と受信した擬似ＢＥＲの値と受信信号のマルチパス数とを用いてデータ復調後の受信品質推定部２６の閾値を推定し、その推定閾値をフィードバック適応制御させた結果をデータ復調後の受信品質推定部２６から受信することで、受信環境に見合った受信品質のｎ段階受信品質表示信号を出力することができる。
【００４０】
第２の実施形態によれば、受信品質推定部２８はデータ復調後の受信品質推定情報と擬似ＢＥＲ及びマルチパスの総数を受信し、これらのデータから閾値推定を行いその推定閾値をフィードバック適応制御させた結果をデータ復調後の受信品質推定部２６から受信することによって、受信環境が変化した場合でも、受信環境に見合った受信品質表示出力を得、受信品質推定の精度を向上し、より正しい受信品質推定及び表示が可能となる。
【図面の簡単な説明】
【００４１】
【図１】本発明の第１の実施形態の受信品質表示装置を示す概略ブロック図。
【図２】本発明の第２の実施形態の受信品質表示装置を示す概略ブロック図。
【図３】本発明の関連技術の受信品質表示装置を示すブロック図。
【図４】データ復調出力のコンスタレーション規定点及び受信信号のずれを示す図。
【図５】本発明の関連技術の問題点を説明する図。
【符号の説明】
【００４２】
１２,２２…チューナ部
１３,２３…データ復調部
１４,２４…誤り訂正復号部
１６,２６…データ復調後の受信品質推定部（第１の推定手段）
１７,２７…誤り訂正後の受信品質推定部（第２の定手段）
１８,２８…受信品質推定部（第３の推定手段）
【図１】
2009177608.tif 000003
【図２】
2009177608.tif 000004
【図３】
2009177608.tif 000005
【図４】
2009177608.tif 000006
【図５】
2009177608.tif 000007